(57)【要約】【課題】携帯端末の接続方式を最適な方式に設定可能な共用システム及び接続方式切替方法を提供する。【解決手段】データセンター１０は、複数の携帯端末８に操作権限（鍵情報Ｄｋ）を付与することにより、これら携帯端末８での車両操作を可能にする。端末確認部３５は、携帯端末８との通信を通じて、車両周囲に存在する携帯端末８の数を確認する。接続切替部３６は、車両周囲に存在する携帯端末８の数を基に、携帯端末８との接続方式を切り替える。接続切替部３６は、複数の携帯端末８に操作権限が付与されていても、車両周囲に携帯端末８が１つのみ存在するのであれば、携帯端末８との接続方式を自動接続とする。一方、接続切替部３６は、車両周囲に携帯端末８が複数すれば、携帯端末８との接続方式を手動接続とする。【選択図】図１
2019199724.tif 000002
【特許請求の範囲】
【請求項１】
共用される操作対象物の使用時に必要な鍵情報を取り込んだ携帯端末によって当該操作対象物を操作する場合に、操作対象物側に設けられた認証装置と前記携帯端末とで認証が実行され、当該認証が成立すれば、前記認証装置を通じた前記操作対象物の作動が可能となる共用システムであって、
前記携帯端末及び前記認証装置の通信を通じて、前記操作対象物を操作可能な前記携帯端末が周囲にいくつ存在するのかを確認する端末確認部と、
前記携帯端末及び前記認証装置を通信させる際の接続方式を、前記端末確認部の確認結果を基に切り替える接続切替部と
を備えた共用システム。
【請求項２】
前記接続切替部は、前記認証装置に接続可能な前記携帯端末の数に応じて、接続方式を自動接続又は手動接続のいずれかに切り替える
請求項１に記載の共用システム。
【請求項３】
前記携帯端末は、前記操作対象物の操作権限が付与されている場合、前記認証装置から送信された呼び掛けに対して応答を返信し、
前記端末確認部は、前記応答を監視することにより、周囲に存在する前記携帯端末の数を確認する
請求項１又は２に記載の共用システム。
【請求項４】
前記端末確認部は、前記認証装置から送信される呼び掛けに対する応答を複数受信するか否かを、一定時間に亘って監視することにより、周囲に複数の前記携帯端末が存在するかを確認する
請求項１〜３のうちいずれか一項に記載の共用システム。
【請求項５】
共用される操作対象物の使用時に必要な鍵情報を取り込んだ携帯端末によって当該操作対象物を操作する場合に、操作対象物側に設けられた認証装置と前記携帯端末とで認証が実行され、当該認証が成立すれば、前記認証装置を通じた前記操作対象物の作動が可能となる共用システムの接続方式切替方法であって、
前記携帯端末及び前記認証装置の通信を通じて、前記操作対象物を操作可能な前記携帯端末が周囲にいくつ存在するのかを確認するステップと、
前記携帯端末及び前記認証装置を通信させる際の接続方式を、前記携帯端末の数の確認結果を基に切り替えるステップと
を備えた接続方式切替方法。
【発明の詳細な説明】
【技術分野】
【０００１】
本発明は、操作対象物を各人の携帯端末で使用可能な共用システム及び接続方式切替方法に関する。
【背景技術】
【０００２】
従来、１つの操作対象物を複数人で使用する共用システムとして、１台の車両を複数人で使用するカーシェアリングシステムが周知である（特許文献１，２等参照）。この種のカーシェアリングシステムでは、例えばカーシェア使用の登録を予め行っておき、例えば携帯端末（高機能携帯電話等）で車両の利用予約を行った上で、予約時間内において車両の使用が許可される。
【先行技術文献】
【特許文献】
【０００３】
【特許文献１】特開２０１６−１１５０７７号公報
【特許文献２】特開２０１６−７１８３４号公報
【発明の概要】
【発明が解決しようとする課題】
【０００４】
ところで、この種のカーシェアシステムでは、例えば予約者の携帯端末にしか車両の使用権限を付与できないと、予約者以外は車両を使用できないので、利便性がよくない。このため、複数の携帯端末に車両の操作権限を付与することが検討されている。この場合、携帯端末の通信の接続方式を自動接続から手動接続に切り替えることにより、携帯端末と車両との通信の一対一の関係を確保する。しかし、携帯端末を全て無条件に手動接続に切り替えてしまうと、車両の周囲に携帯端末が１つしか存在しない場合であっても、携帯端末を手動操作で車両に通信接続しなければならず、不便に感じてしまう問題があった。
【０００５】
本発明の目的は、携帯端末の接続方式を最適な方式に設定可能な共用システム及び接続方式切替方法を提供することにある。
【課題を解決するための手段】
【０００６】
前記問題点を解決する共用システムは、共用される操作対象物の使用時に必要な鍵情報を取り込んだ携帯端末によって当該操作対象物を操作する場合に、操作対象物側に設けられた認証装置と前記携帯端末とで認証が実行され、当該認証が成立すれば、前記認証装置を通じた前記操作対象物の作動が可能となる構成であって、前記携帯端末及び前記認証装置の通信を通じて、前記操作対象物を操作可能な前記携帯端末が周囲にいくつ存在するのかを確認する端末確認部と、前記携帯端末及び前記認証装置を通信させる際の接続方式を、前記端末確認部の確認結果を基に切り替える接続切替部とを備えた。
【０００７】
本構成によれば、例えば予め複数の携帯端末に操作対象物の操作権限が付与されていたとしても、いま実際に操作対象物の周囲に存在する携帯端末の数を基に、携帯端末の接続方式が設定される。このため、操作対象物の操作権限を付与した携帯端末の数ではなく、いま実際に操作対象物の周囲に存在する携帯端末の数に応じた適切な方式に、携帯端末の接続方式を設定することが可能となる。このようにして、携帯端末の接続方式を最適な方式に設定することが可能となる。
【０００８】
前記共用システムにおいて、前記接続切替部は、前記認証装置に接続可能な前記携帯端末の数に応じて、接続方式を自動接続又は手動接続のいずれかに切り替えることが好ましい。この構成によれば、例えば複数の携帯端末が存在する場合に接続方式を手動接続に設定し、携帯端末が１つのみ存在する場合に接続方式を自動接続に設定することが可能となる。よって、複数の携帯端末に操作対象物の操作権限が付与されていても、操作対象物の周囲に携帯端末が１つのみ存在する場合には、携帯端末の接続方式が自動接続に設定されるので、携帯端末を認証装置に通信接続する際の利便性が確保される。
【０００９】
前記共用システムにおいて、前記携帯端末は、前記操作対象物の操作権限が付与されている場合、前記認証装置から送信された呼び掛けに対して応答を返信し、前記端末確認部は、前記応答を監視することにより、周囲に存在する前記携帯端末の数を確認することが好ましい。この構成によれば、認証装置から呼び掛けが送信された場合、操作対象物の操作権限が付与された携帯端末のみ応答を返すことが可能となるので、操作権限がない無関係の他端末から応答を受け付けずに済む。
【００１０】
前記共用システムにおいて、前記端末確認部は、前記認証装置から送信される呼び掛けに対する応答を複数受信するか否かを、一定時間に亘って監視することにより、周囲に複数の前記携帯端末が存在するかを確認することが好ましい。この構成によれば、携帯端末からの応答を一定時間監視するという簡素な処理により、周囲に存在する携帯端末の数を認識することが可能となる。
【００１１】
前記問題点を解決する接続方式切替方法は、共用される操作対象物の使用時に必要な鍵情報を取り込んだ携帯端末によって当該操作対象物を操作する場合に、操作対象物側に設けられた認証装置と前記携帯端末とで認証が実行され、当該認証が成立すれば、前記認証装置を通じた前記操作対象物の作動が可能となる共用システムに使用される方法であって、前記携帯端末及び前記認証装置の通信を通じて、前記操作対象物を操作可能な前記携帯端末が周囲にいくつ存在するのかを確認するステップと、前記携帯端末及び前記認証装置を通信させる際の接続方式を、前記携帯端末の数の確認結果を基に切り替えるステップとを備えた。
【発明の効果】
【００１２】
本発明によれば、携帯端末の接続方式を最適な方式に設定することができる。
【図面の簡単な説明】
【００１３】
【図１】一実施形態の共用システムの構成図。
【図２】鍵情報の認証の手順を示す説明図。
【図３】携帯端末で車載機器を操作するときの手順を示す説明図。
【図４】操作権限を付与する手順を示す説明図。
【図５】接続可能な携帯端末が１つのときの通信手順を示すフローチャート。
【図６】接続可能な携帯端末が複数のときの通信手順を示すフローチャート。
【発明を実施するための形態】
【００１４】
以下、共用システム及び接続方式切替方法の一実施形態を図１〜図６に従って説明する。
図１に示すように、車両１は、電子キー２との無線によるＩＤ照合を行って車載機器３の作動を許可又は実行する電子キーシステム４が搭載されている。電子キーシステム４は、車両１からの通信を契機に狭域無線によってＩＤ照合（スマート照合）を実行するキー操作フリーシステムである。車載機器３は、例えばドアロック装置やエンジンなどがある。
【００１５】
電子キーシステム４は、車両１において電子キーシステム４を作動させるシステム装置５を備える。電子キー２及びシステム装置５には、スマート照合で使用する電子キーＩＤ及びキー固有鍵が登録されている。電子キー２及びシステム装置５は、互いに電波を送受信して通信を実行する双方向通信によりスマート照合を実行する。スマート照合は、例えば電子キーＩＤの正否を確認する電子キーＩＤ照合や、キー固有鍵を用いたチャレンジレスポンス認証等を実行する。システム装置５から電子キー２への電波送信は、ＬＦ（Low Frequency）帯の電波が使用され、電子キー２からシステム装置５への電波送信は、ＵＨＦ（Ultra High Frequency）帯の電波が使用されている。
【００１６】
システム装置５は、室外に位置する電子キー２との間でスマート通信（室外スマート通信）を実行した場合、このとき実施されるスマート照合（室外スマート照合）が成立すれば、車両ドアの施解錠を許可又は実行する。これにより、車外ドアハンドルがタッチ操作されれば車両ドアが解錠され、車外ドアハンドルのロックボタンが操作されば車両ドアが施錠される。また、システム装置５は、室内に位置する電子キー２との間でスマート通信（室内スマート通信）を実行した場合、このとき実施されるスマート照合（室内スマート照合）が成立すれば、車両電源の遷移操作を許可する。これにより、ブレーキペダルを踏み込み操作しながら運転席のエンジンスイッチが押し操作されると、エンジンが始動する。
【００１７】
車両１は、例えば複数人で共用されるシェア車両の場合、予約した規定時間内の間、各ユーザが所持する携帯端末８で車両１を操作できるようにする共用システム９、いわゆるカーシェアリングシステムを備える。本例の共用システム９は、例えば暗号化された鍵情報Ｄｋを外部（本例はデータセンター１０）から携帯端末８に登録し、車両１に設けた認証装置１１との間で鍵情報Ｄｋを認証し、その認証結果を車両１の操作可否の１条件とするものである。鍵情報Ｄｋは、例えば利用時間制限の要素が入った鍵の一種である。鍵情報Ｄｋは、使用が１度のみ許可されたワンタイムキー（ワンタイムパスワード）であることが好ましい。
【００１８】
携帯端末８は、携帯端末８の作動を制御する端末制御部１３と、携帯端末８においてネットワーク通信を行うネットワーク通信モジュール１４と、携帯端末８において近距離無線通信を行う近距離無線モジュール１５と、データ書き込み及び書き替えが可能なメモリ１６とを備える。携帯端末８は、データセンター１０からネットワーク通信を通じて鍵情報Ｄｋを取得した場合、この鍵情報Ｄｋをメモリ１６に書き込み保存する。近距離無線通信は、例えばブルートゥース（Bluetooth：登録商標）であることが好ましい。
【００１９】
携帯端末８は、携帯端末８において共用システム９の作動を管理するユーザインターフェースアプリケーション１７を備える。ユーザインターフェースアプリケーション１７は、例えばデータセンター１０からダウンロードされるなどして、端末制御部１３に設けられる。ユーザインターフェースアプリケーション１７は、例えば車両１の利用手続き（本人認証、予約手続き）や、車両ドアの施解錠操作、車両１のエンジンの始動操作など、種々の処理を実行する。
【００２０】
認証装置１１は、認証装置１１の作動を制御するコントローラ２０と、認証装置１１においてスマート通信を行うスマート通信ブロック２１と、認証装置１１において近距離無線通信を行う近距離無線モジュール２２と、データ書き込み及び書き替え可能なメモリ２３と、認証装置１１において日時を管理するタイマ部２４とを備える。認証装置１１は、自らに登録された認証装置ＩＤが例えば車両１の車体ＩＤ（車体番号）と紐付けされることにより、車両１と一対一の関係をとる。タイマ部２４は、例えばソフトタイマからなる。
【００２１】
認証装置１１は、携帯端末８に登録された鍵情報Ｄｋの正否を認証する鍵情報認証部２７と、認証装置１１を電子キー２のように作動させるキー機能部２８とを備える。鍵情報認証部２７及びキー機能部２８は、コントローラ２０に設けられている。鍵情報認証部２７は、携帯端末８から近距離無線通信を通じて鍵情報Ｄｋを取得し、この鍵情報Ｄｋを認証する。鍵情報認証部２７は、鍵情報Ｄｋの認証が成立に移行した場合、キー機能部２８をオン状態（有効）に切り替える。キー機能部２８は、オン状態に移行すると、電子キーシステム４との間のスマート通信（スマート照合）が実行可能となる。
【００２２】
図２に、鍵情報Ｄｋの認証の手順を示す。同図のステップ１０１において、携帯端末８は、データセンター１０との間でネットワーク通信を通じて本人認証を実行する。本人認証は、例えば共用システム９の利用登録時に付与されたユーザＩＤ及びパスワードを確認する認証である。
【００２３】
ステップ１０２において、携帯端末８は、データセンター１０との間でネットワーク通信を通じて車両１の予約手続きを実行する。この予約手続きでは、例えば使用車両や使用日時等が入力され、これらがデータセンター１０に送信される。
【００２４】
ステップ１０３において、データセンター１０は、本人認証が成立した場合、鍵情報Ｄｋを生成し、これを携帯端末８にネットワーク通信を通じて送信する。このとき、データセンター１０は、予約手続き時に取得した情報を用いて、鍵情報Ｄｋを生成する。本例の鍵情報Ｄｋは、例えば「予約日時」、「端末ＩＤ」、「ユーザ認証鍵」、「グループＩＤ」などを平文とし、予約車両に設けられた認証装置１１の暗号鍵（例えば認証装置固有鍵）を暗号化鍵として、これらを暗号式（暗号アルゴリズム）に通すことにより生成された暗号文からなる。端末ＩＤは、携帯端末８の固有ＩＤである。ユーザ認証鍵は、例えば携帯端末８で車両操作を行うときに、携帯端末８及び認証装置１１の間の暗号通信される鍵の一種である。グループＩＤは、グループを識別するための固有ＩＤである。携帯端末８は、データセンター１０から鍵情報Ｄｋを受信すると、これをメモリ１６に書き込み保存する。
【００２５】
ステップ１０４において、携帯端末８は、予約車両の使用開始時、自身に登録された鍵情報Ｄｋを、近距離無線通信を通じて送信する。鍵情報Ｄｋは、例えばＢＬＥ（Bluetooth Low Energy）を通じて認証装置１１に送信される。
【００２６】
ステップ１０５において、認証装置１１は、携帯端末８から鍵情報Ｄｋを受信すると、鍵情報Ｄｋを認証する。本例の場合、鍵情報認証部２７は、暗号鍵（例えば認証装置固有鍵）を用いて鍵情報Ｄｋを復号し、この復号が成功したか否かを確認する。このとき、鍵情報Ｄｋの復号が成功すれば、鍵情報Ｄｋに含まれていた「予約日時」、「端末ＩＤ」、「ユーザ認証鍵」、「グループＩＤ」などを取得することができる。これにより、予約した規定時間の間、携帯端末８で車両１を操作できるようになる。
【００２７】
認証装置１１は、鍵情報Ｄｋの認証が成功すれば、鍵情報Ｄｋの「認証完了状態」に移行し、キー機能部２８がオン（スマート機能が有効）となる。よって、キー機能部２８は、電子キーシステム４を通じたスマート通信（スマート機能）が実行可能となる。また、認証装置１１は、鍵情報Ｄｋの認証が成立した場合、鍵情報Ｄｋやユーザ認証鍵をメモリ２３に書き込み保存する。
【００２８】
認証装置１１は、鍵情報Ｄｋの認証が成立した場合、この認証において取得したユーザ認証鍵を、近距離無線通信を通じて携帯端末８に通知する。携帯端末８は、認証装置１１からユーザ認証鍵を受信すると、これをメモリ１６に登録する。以上により、携帯端末８及び認証装置１１の両方にユーザ認証鍵が登録される。従って、携帯端末８で認証装置１１を通じて車両１を作動させる場合、携帯端末８及び認証装置１１の間の暗号通信にユーザ認証鍵が使用される。
【００２９】
図３に、携帯端末８による車両１の操作の手順を示す。同図のステップ２０１において、携帯端末８は、認証完了状態において携帯端末８の操作要求ボタン（画面上の表示ボタン）が操作されると、そのボタンに応じた操作要求信号を、近距離無線を通じて認証装置１１に送信する。操作要求ボタンは、例えば車両ドアを解錠するときに操作する解錠要求ボタン、車両ドアを施錠するときに操作する施錠要求ボタン、エンジンの始動を車両１に許可させる際に操作するエンジン始動要求ボタンなどがある。操作要求信号は、操作された操作要求ボタンに応じたコマンドを含む信号である。操作要求信号は、例えばユーザ認証鍵によって暗号化されて送信される。
【００３０】
ステップ２０２において、キー機能部２８は、オン状態のときに携帯端末８から操作要求信号を受信すると、電子キーシステム４のスマート通信を実行し、そのスマート通信の過程で操作要求信号をシステム装置５に通知する。本例の場合、キー機能部２８は、自身に登録された電子キーＩＤ及び暗号鍵を用いたスマート照合を実行し、その照合の過程で、携帯端末８から受信した操作要求信号をシステム装置５に通知する。
【００３１】
ステップ２０３において、システム装置５は、認証装置１１（キー機能部２８）とのスマート照合が成立することを確認すると、認証装置１１から通知された操作要求信号に応じた作動を実行する。これにより、車両ドアの施解錠や、エンジン始動操作の許可などが実行される。
【００３２】
図４に示すように、共用システム９は、車両使用の予約をした携帯端末８（第１携帯端末８ａ）から他の携帯端末８（第２携帯端末８ｂ）に車両１の操作権限を付与する機能（操作権限付与機能）を備える。第１携帯端末８ａは、車両１の予約者が使用する端末である。第２携帯端末８ｂは、予約者とは別のユーザ（家人等）が使用する端末である。本例の場合、第１携帯端末８ａのユーザ、すなわち車両１の予約者を「ユーザＡ」とし、第２携帯端末８ｂのユーザ、すなわちユーザＡから車両１を借りる同一グループ内の者を「ユーザＢ」とする。また、ユーザＡのグループを「グループＩＤ１」とし、ユーザＡのグループ内のユーザ番号Ｎｏを「１」とする。
【００３３】
ステップ３０１において、ユーザＢが車両１を使用する場合、ユーザＢは、ユーザＡに車両１の利用連絡を実行する。この利用連絡は、例えばユーザＢが所持する第２携帯端末８ｂを操作して、ネットワーク通信や近距離無線を通じ、車両利用を望む旨を、ユーザＡが所持する第１携帯端末８ａに通知する作業であることが好ましい。
【００３４】
ステップ３０２において、ユーザＡは、ユーザＢによる車両使用を許可する操作権限の発行操作を行うことにより、ユーザＢの車両利用をデータセンター１０に申請する。本例の場合、ユーザＡは、例えば自身の第１携帯端末８ａを操作して、ユーザＢから受けた利用連絡をデータセンター１０に通知する。これにより、データセンター１０は、ユーザＢがユーザＡと同じグループであると認識し、ユーザＢに「グループＩＤ１」を付与する。この利用申請のとき、ユーザＢが希望する予約日時等がデータセンター１０に通知される。
【００３５】
ステップ３０３において、データセンター１０は、ユーザＢをユーザＡと同じグループ（グループＩＤＩ）に設定し、グループ内のユーザ番号（Ｎｏが「２」）を設定した後、ユーザＢに発行する鍵情報（以降、第２鍵情報Ｄｋ２と記す）を生成する。このとき、データセンター１０は、ユーザＡに発行した鍵情報（第１鍵情報Ｄｋ１）とは異なる値の鍵情報（第２鍵情報Ｄｋ２）を生成する。第２鍵情報Ｄｋ２は、例えば「グループＩＤ（本例の場合、グループＩＤ１）」、「予約日時」、「端末ＩＤ」、「ユーザ認証鍵（ユーザＡとは別の鍵）」などを平文とし、所定の暗号鍵（例えば認証装置固有鍵等）を暗号化鍵として、これらを暗号式（暗号アルゴリズム）に通すことにより生成された暗号文であることが好ましい。
【００３６】
ステップ３０４において、データセンター１０は、ユーザＢ用に生成した第２鍵情報Ｄｋ２を、ユーザＢの第２携帯端末８ｂに送信する。
ステップ３０５において、第２鍵情報Ｄｋ２を取得した第２携帯端末８ｂは、車両１の認証装置１１と近距離無線通信が接続されたとき、第２鍵情報Ｄｋ２の認証を実行する。第２鍵情報Ｄｋ２の認証は、前述のステップ１０３及びステップ１０４と同様の処理であるので、説明を省略する。そして、第２鍵情報Ｄｋ２の認証が成立すれば、キー機能部２８がオンに切り替わり、第２携帯端末８ｂに車両１の操作権限が付与される。このように、操作権限の付与は、鍵情報Ｄｋの付与（登録）と同義である。よって、第２携帯端末８ｂでの車両使用が可能となる。
【００３７】
ここで、ユーザＡ，Ｂとは別グループのユーザＣが自身の携帯端末８から車両１の使用予約をデータセンター１０に行ったとする。このとき、データセンター１０は、ユーザＡ，Ｂに対してユーザＣが別グループであることを識別するので、ユーザＣにグループＩＤとして「グループＩＤ２」を付与する。そして、データセンター１０は、ユーザＣ用の別の鍵情報Ｄｋを生成し、これをユーザＣの携帯端末８に発行する。ユーザＣの携帯端末８は、データセンター１０から取得した鍵情報Ｄｋの認証を認証装置１１と実行し、鍵情報Ｄｋの認証が成立すれば、車両１の各種操作が可能となる。なお、ユーザＣが車両使用可能な状態となると、ユーザＣとはグループＩＤが異なるユーザＡ，Ｂは、車両使用が不可となる。
【００３８】
図１に戻り、共用システム９は、操作対象物３３（本例は車両１）の操作権限が複数の携帯端末８に付与されていることを前提に、携帯端末８及び認証装置１１の間の通信の接続方式を、車両１の周囲に存在する携帯端末８の数に応じて切り替える機能（接続方式切替機能）を備える。ところで、車両１の操作権限を複数の携帯端末８に付与した場合、携帯端末８及び認証装置１１の通信の一対一の関係を確保するために、仮に全ての携帯端末８を手動接続に切り替えてしまうと、車両１の周囲に携帯端末８が１つしか存在しない場合であっても、携帯端末８を手動操作によって認証装置１１に通信接続しなければならず、これが不便に感じる可能性があった。本例は、この問題に対する対処策である。
【００３９】
この場合、共用システム９は、車両１を操作可能な携帯端末８が車両１（認証装置１１）の周囲にいくつ存在するのかを確認する端末確認部３５を備える。端末確認部３５は、認証装置１１のコントローラ２０に設けられている。端末確認部３５は、認証装置１１に複数の鍵情報Ｄｋが登録されている場合に、複数の携帯端末８に車両１の操作権限が付与されていると認識する。端末確認部３５は、複数の携帯端末８に操作権限が付与されている場合に、携帯端末８及び認証装置１１の通信を通じて、車両１を操作可能な携帯端末８が周囲にいくつ存在するのかを確認する。また、端末確認部３５は、認証装置１１からの呼び掛けに対する応答の有無を、一定時間に亘って監視することにより、周囲に複数の携帯端末８が存在するかを確認する。
【００４０】
共用システム９は、携帯端末８及び認証装置１１の間の通信の接続方式の切り替えを実行する接続切替部３６を備える。接続切替部３６は、認証装置１１のコントローラ２０に設けられている。接続切替部３６は、携帯端末８及び認証装置１１を通信接続する際の接続方式を、端末確認部３５の確認結果を基に切り替える。本例の場合、接続切替部３６は、車両１の周囲に携帯端末８が１つのみ存在する場合、携帯端末８の通信の接続方式を「自動接続」とし、車両１の周囲に携帯端末８が複数存在する場合、携帯端末８の通信の接続方式を「手動接続」とする。
【００４１】
次に、図５及び図６を用いて、本実施形態の共用システム９の作用及び効果について説明する。
図５に、車両周囲に接続可能な携帯端末８が１つ（第１携帯端末８ａ）のみ存在する場合の通信手順を示す。同図のステップ４０１において、コントローラ２０の端末確認部３５は、近距離無線通信（ブルートゥース）を接続するにあたり、まず携帯端末８の台数確認を要求するアドバタイズ（台数確認アドバタイズ）の発行の要求を近距離無線モジュール２２に出力する。
【００４２】
ステップ４０２において、近距離無線モジュール２２は、コントローラ２０から台数確認アドバタイズ発行の要求を入力すると、接続可能な携帯端末８を探索するためのアドバタイズスキャンインディケーション（ADV_SCAN_IND）を、近距離無線を通じて送信する。ここでは、車両１の周囲に第１携帯端末８ａのみ存在する場合を想定しているので、このアドバタイズスキャンインディケーションは第１携帯端末８ａのみに届く。
【００４３】
ステップ４０３において、第１携帯端末８ａは、アドバタイズスキャンインディケーションを受信すると、車両１の操作権限（鍵情報Ｄｋ）が付与された端末であれば、アドバタイズ以外の情報の提供を要求するスキャンリクエストとして、第１携帯端末８ａ用のスキャンリクエストを、近距離無線を通じて認証装置１１に送信する。このように、第１携帯端末８ａは、アドバタイズスキャンインディケーションを受信した場合、スキャンリクエストのみを返し、この時点では、まだコネクトリクエストを返さない。また、第１携帯端末８ａからのスキャンリクエストには、第１携帯端末８ａの近距離無線アドレス、すなわちブルートゥースアドレスが含まれている。
【００４４】
ステップ４０４において、近距離無線モジュール２２は、第１携帯端末８ａからスキャンリクエストを受信すると、そのスキャン情報をコントローラ２０に出力する。スキャン情報は、スキャンリクエスト内のデータ群であり、例えば第１携帯端末８ａのブルートゥースアドレスを含む。
【００４５】
ステップ４０５において、近距離無線モジュール２２は、第１携帯端末８ａからスキャンリクエスト（第１携帯端末８ａ用のスキャンリクエスト）を受信すると、その旨を通知するスキャンレスポンスを、近距離無線を通じて第１携帯端末８ａに送信する。
【００４６】
ステップ４０６において、コントローラ２０の端末確認部３５は、第１携帯端末８ａのブルートゥースアドレスを取得することにより、この時点では携帯端末８が１つ存在することを認識する。
【００４７】
ステップ４０７において、端末確認部３５は、第１携帯端末８ａのブルートゥースアドレスを取得してから一定時間の間、他の携帯端末８のスキャン情報（ブルートゥースアドレス）を取得できるか否かを監視する。端末確認部３５は、一定時間経過後、取得したブルートゥースアドレスが１つであれば、車両１の周囲に存在する携帯端末８が１つであることを確定する。接続切替部３６は、車両１の周囲に存在する携帯端末８が１つであると確定された場合、第１携帯端末８ａの通信の接続方式を「自動接続」に設定すべきと認識する。
【００４８】
ステップ４０８において、接続切替部３６は、第１携帯端末８ａの通信の接続方式を「自動接続」とする場合、携帯端末８の自動接続への切り替えを要求するアドバタイズ（自動接続アドバタイズ）の発行の要求を近距離無線モジュール２２に出力する。
【００４９】
ステップ４０９において、近距離無線モジュール２２は、コントローラ２０から自動接続アドバタイズ発行の要求を入力すると、第１携帯端末８ａに通信接続を要求するアドバタイズインディケーション（ADV_IND：通信接続要求アドバタイズ）を、近距離無線を通じて送信する。本例の場合、「ADV_IND」は、第１携帯端末８ａに自動接続を要求するアドバタイズインディケーションである。
【００５０】
ステップ４１０において、第１携帯端末８ａは、認証装置１１からアドバタイズインディケーション（ADV_IND）を受信すると、認証装置１１との間のブルートゥースの接続方式を「自動接続」に設定する。これにより、第１携帯端末８ａは、別途操作の必要なく、認証装置１１との通信確立を試みる。この場合、第１携帯端末８ａは、近距離無線通信の接続の要求としてコネクトリクエストを、近距離無線を通じて認証装置１１に送信する。すなわち、第１携帯端末８ａは、自動でコネクトリクエストを認証装置１１に送信する。
【００５１】
ステップ４１１において、近距離無線モジュール２２は、第１携帯端末からコネクトリクエストを受信すると、これをコントローラ２０に出力する。
ステップ４１２において、コントローラ２０（認証装置１１）は、第１携帯端末８ａから送信されたコネクトリクエストを取得すると、第１携帯端末８ａとの間の近距離無線通信を接続する。これにより、第１携帯端末８ａが認証装置１１と繋がり、近距離無線通信が可能となる。
【００５２】
ステップ４１３において、認証装置１１は、第１携帯端末８ａとの近距離無線の確立後、第１携帯端末８ａとの間で認証を実行する。この認証としては、例えば鍵情報Ｄｋ（第１鍵情報Ｄｋ）の認証や、ユーザ認証鍵の認証などがある。認証装置１１は、第１携帯端末８ａとの間の認証が成立すると、認証完了の状態に移行し、第１携帯端末８ａによる車両操作を許可する。よって、例えば第１携帯端末８ａで車両ドアの施解錠操作が行われた際には、その操作に応じた操作要求信号が第１携帯端末８ａから認証装置１１に送信され、車両ドアの施解錠が実行又は許可される。
【００５３】
図６に、車両周囲に接続可能な携帯端末８が複数（第１携帯端末８ａ、第２携帯端末８ｂ）存在する場合の通信手順を示す。第１携帯端末８ａ及び第２携帯端末８ｂは、「仲間キー」の位置付けである。仲間キーは、例えば同じグループＩＤ（本例はグループＩＤ１）が付与された携帯端末８であることが好ましい。
【００５４】
ステップ５０１において、コントローラ２０の端末確認部３５は、近距離無線通信（ブルートゥース）を接続するにあたり、まず携帯端末８の台数確認を要求するアドバタイズ（台数確認アドバタイズ）の発行の要求を近距離無線モジュール２２に出力する。
【００５５】
ステップ５０２において、近距離無線モジュール２２は、コントローラ２０から台数確認アドバタイズ発行の要求を入力すると、接続可能な携帯端末８を探索するためのアドバタイズスキャンインディケーション（ADV_SCAN_IND）を、近距離無線を通じて送信する。ここでは、車両１の周囲に第１携帯端末８ａ及び第２携帯端末８ｂの両方が存在する場合を想定しているので、このアドバタイズスキャンインディケーションは第１携帯端末８ａ及び第２携帯端末８ｂの両方に届く。
【００５６】
ステップ５０３において、第２携帯端末８ｂは、アドバタイズスキャンインディケーションを受信すると、車両１の操作権限（鍵情報Ｄｋ）が付与された端末であれば、アドバタイズ以外の情報の提供を要求するスキャンリクエストとして、第２携帯端末８ｂ用のスキャンリクエストを、近距離無線を通じて認証装置１１に送信する。このように、第２携帯端末８ｂは、アドバタイズスキャンインディケーションを受信した場合、スキャンリクエストのみを返し、この時点では、まだコネクトリクエストを返さない。
【００５７】
ステップ５０４において、近距離無線モジュール２２は、第２携帯端末８ｂからスキャンリクエストを受信すると、そのスキャン情報（第２携帯端末８ｂのブルートゥースアドレス）をコントローラ２０に出力する。
【００５８】
ステップ５０５において、近距離無線モジュール２２は、第２携帯端末８ｂからスキャンリクエスト（第２携帯端末８ｂ用のスキャンリクエスト）を受信すると、その旨を通知するスキャンレスポンスを、近距離無線を通じて第２携帯端末８ｂに送信する。
【００５９】
ステップ５０６において、第１携帯端末８ａは、アドバタイズスキャンインディケーションを受信すると、車両１の操作権限（鍵情報Ｄｋ）が付与された端末であれば、アドバタイズ以外の情報の提供を要求するスキャンリクエストとして、第１携帯端末８ａ用のスキャンリクエストを、近距離無線を通じて認証装置１１に送信する。第１携帯端末８ａからのスキャンリクエストには、第１携帯端末８ａの近距離無線アドレス、すなわちブルートゥースアドレスが含まれている。
【００６０】
ステップ５０７において、近距離無線モジュール２２は、第１携帯端末８ａからスキャンリクエストを受信すると、そのスキャン情報（第１携帯端末８ａのブルートゥースアドレス）をコントローラ２０に出力する。
【００６１】
ステップ５０８において、近距離無線モジュール２２は、第１携帯端末８ａからスキャンリクエスト（第１携帯端末８ａ用のスキャンリクエスト）を受信すると、その旨を通知するスキャンレスポンスを、近距離無線を通じて第１携帯端末８ａに送信する。
【００６２】
ステップ５０９において、コントローラ２０の端末確認部３５は、第２携帯端末８ｂのブルートゥースアドレスを受信してからの一定時間内において、第１携帯端末８ａのブルートゥースアドレスを取得するので、車両１の周囲に２つ（複数）の携帯端末８が存在することを確定する。接続切替部３６は、車両１の周囲に存在する携帯端末８が複数であると確定された場合、これら携帯端末８（第１携帯端末８ａ、第２携帯端末８ｂ）の通信の接続方式を「手動接続」に設定すべきと認識する。
【００６３】
ステップ５１０において、接続切替部３６は、車両１の周囲に存在する携帯端末８が複数であると認識された場合、携帯端末８を手動接続に切り替えさせるアドバタイズ（手動接続アドバタイズ）の発行の要求（手動接続アドバタイズ発行要求）を近距離無線モジュール２２に出力する。
【００６４】
ステップ５１１において、近距離無線モジュール２２は、コントローラ２０から手動接続アドバタイズ発行の要求を入力すると、手動接続への切り替えを要求するアドバタイズインディケーション（ADV_IND’：手動接続要求アドバタイズ）を、近距離無線を通じて送信する。ここでは、車両１の周囲に第１携帯端末８ａ及び第２携帯端末８ｂの両方が存在する場合を想定しているので、このアドバタイズインディケーション（ADV_IND’）は第１携帯端末８ａ及び第２携帯端末８ｂの両方に届く。
【００６５】
ステップ５１２において、第１携帯端末８ａ及び第２携帯端末８ｂは、認証装置１１からアドバタイズインディケーション（ADV_IND’）を受信すると、近距離無線の接続方式を、自動接続から手動接続に変更する。これにより、第１携帯端末８ａや第２携帯端末８ｂは、認証装置１１と通信するにあたって、端末上での個別の通信接続操作が別途必要となる。通信接続操作は、例えば第１携帯端末８ａや第２携帯端末８ｂのディスプレイ上に表示した接続ボタンをタップする操作であることが好ましい。
【００６６】
ステップ５１３において、第１携帯端末８ａは、手動接続状態の第１携帯端末８ａで通信接続操作が実行されると、近距離無線通信の接続の要求としてコネクトリクエストを、近距離無線を通じて認証装置１１に送信する。
【００６７】
ステップ５１４において、近距離無線モジュール２２は、第１携帯端末からコネクトリクエストを受信すると、これをコントローラ２０に出力する。
ステップ５１５において、コントローラ２０（認証装置１１）は、第１携帯端末８ａから送信されたコネクトリクエストを取得すると、第１携帯端末８ａとの間の近距離無線通信を接続する（ステップ４１２と同様）。これにより、第１携帯端末８ａが認証装置１１と繋がり、近距離無線通信が可能となる。
【００６８】
ステップ５１６において、認証装置１１は、第１携帯端末８ａとの近距離無線の確立後、第１携帯端末８ａとの間で認証を実行する（ステップ４１３と同様）。これにより、認証装置１１と第１携帯端末８ａとの間の認証が成立すれば、認証完了の状態に移行し、第１携帯端末８ａによる車両操作が許可される。
【００６９】
さて、本例の場合、例えば予め複数の携帯端末８に車両１の操作権限（鍵情報Ｄｋ）が付与されていたとしても、いま実際に車両１の周囲に存在する携帯端末８の数を基に、携帯端末８の接続方式が設定される。このため、車両１の操作権限（鍵情報Ｄｋ）の数ではなく、いま実際に車両１の周囲に存在する携帯端末８の数に応じた適切な方式に、携帯端末８の接続方法を設定することが可能となる。このようにして、携帯端末８の接続方式を最適な方式に設定できるようになる。
【００７０】
接続切替部３６は、認証装置１１に接続可能な携帯端末８の数に応じて、接続方式を自動接続又は手動接続のいずれかに切り替える。これにより、例えば複数の携帯端末８が車両周囲に存在する場合に接続方式を手動接続に設定し、携帯端末８が１つのみ存在する場合に接続方式を自動接続に設定することが可能となる。よって、複数の携帯端末８に車両１の操作権限が付与されていても、車両周囲に携帯端末８が１つのみ存在する場合には、携帯端末８の接続方式が自動接続に設定されるので、携帯端末８を認証装置１１に通信接続する際の利便性を確保することができる。
【００７１】
携帯端末８は、車両１の操作権限が付与されている場合、認証装置１１から送信された呼び掛け（アドバタイズスキャンインディケーション）に対して応答（スキャンレスポンス）を返信する。端末確認部３５は、その応答（チャレンジレスポンス）を監視することにより、周囲に存在する携帯端末８の数を確認する。よって、認証装置１１から呼び掛けが送信された場合、車両１の操作権限が付与された携帯端末８のみ応答を返すことが可能となるので、操作権限がない無関係の他端末から応答を受け付けずに済む。
【００７２】
端末確認部３５は、認証装置１１から送信される呼び掛け（アドバタイズスキャンインディケーション）に対する応答（チャレンジレスポンス）を複数受信するか否かを、一定時間に亘って監視することにより、周囲に複数の携帯端末８が存在するか否かを確認する。よって、携帯端末８からの応答を一定時間監視するという簡素な処理により、周囲に存在する携帯端末８の数を認識することができる。
【００７３】
なお、本実施形態は、以下のように変更して実施することができる。本実施形態及び以下の変更例は、技術的に矛盾しない範囲で互いに組み合わせて実施することができる。
・認証装置１１から送信されるアドバタイズスキャンインディケーションに、例えば認証装置１１に鍵情報Ｄｋが登録された携帯端末８のみ作動させる情報を含ませることにより、認証装置１１に鍵情報Ｄｋの登録が済んだ携帯端末８のみ、認証装置１１からのアドバタイズに応答するようにしてもよい。この場合、認証装置１１のアドバタイズに対して、関係のある携帯端末８とのみ通信を開始することができる。
【００７４】
・スキャンリクエストの返信は、操作権限が付与された携帯端末８のみ実行できることに限らず、操作権限を持っていない端末から送信されてもよい。
・携帯端末８の数の確認は、通信接続開始時に行われることに限定されない。例えば、ある１つの携帯端末８と通信接続が確立している状態で、他の携帯端末８を探索する処理を行うようにしてもよい。
【００７５】
・携帯端末８の数の確認方法は、アドバタイズスキャンインディケーション及びスキャンレスポンスの送受信に限らず、他の電波を用いた方式としてもよい。
・接続方式は、「自動接続」及び「手動接続」に限定されず、これら以外の態様に変更してもよい。
【００７６】
・スキャンリクエストの返信は、操作権限が付与された携帯端末８のみ実行できることに限らず、操作権限を持っていない端末から送信されてもよい。
・呼び掛けは、アドバタイズスキャンインディケーションに限定されず、携帯端末８を探すための信号であればよい。
【００７７】
・応答は、スキャンリクエストに限定されず、呼び掛けに対して返信される信号であればよい。
・第２携帯端末８ｂは、バレットキー位置付けの端末でもよい。
【００７８】
・認証装置１１は、車両１に後付けされる構成、或いは車両１に予め組み付いている構成のいずれでもよい。
・認証装置１１の搭載場所は、車両１のいずれの場所であってもよい。
【００７９】
・車両１を作動させる際の携帯端末８の操作の仕方は、種々の態様に変更することができる。
・車両１の予約手続きは、携帯端末８で行われることに限らず、別の端末で実行されてもよい。
【００８０】
・鍵情報Ｄｋは、ワンタイムキーに限定されず、使用に時間制限の要素が入っている情報であればよい。
・鍵情報Ｄｋに含ませる内容は、実施形態以外の態様に変更可能である。
【００８１】
・鍵情報Ｄｋは、データセンター１０で生成されることに限定されず、外部であれば、どの場所でもよい。
・携帯端末８は、高機能携帯電話に限定されず、種々の端末に変更可能である。
【００８２】
・携帯端末８や認証装置１１は、ユーザ認証鍵をどのような手順や方式で取得してもよい。
・キー機能部２８のオン状態（有効）への切り替えは、何を条件としてもよい。
【００８３】
・他ユーザへの操作権限の付与の仕方は、例えば他ユーザの端末（第２携帯端末８ｂ）が直にデータセンター１０に問合せをして、操作権限（鍵情報Ｄｋ）を取得する方式としてもよい。
【００８４】
・近距離無線通信は、ブルートゥース通信に限定されず、他の通信方式に変更可能である。
・携帯端末８及び認証装置１１の間の通信、システム装置５及び認証装置１１の間の通信、電子キー２及びシステム装置５の間の通信、携帯端末８及びデータセンター１０の間の通信は、種々の周波数、通信方式が適用可能である。
【００８５】
・電子キーシステム４は、キー操作フリーシステムに限定されず、他のシステム構成のものに変更してもよい。
・暗号通信に使用する暗号鍵は、例えば鍵情報Ｄｋ、認証装置固有鍵、ユーザ認証鍵、キー固有鍵のうち、どの鍵を使用してもよい。例えば、処理の途中で使用する暗号鍵を切り替えれば、通信のセキュリティ性を確保するのに有利となる。また、使用する暗号鍵は、前述した鍵に限定されず、種々のものに変更してもよい。
【００８６】
・認証装置１１及びコントローラ２０の通信は、有線及び無線のどちらでもよい。
・システム装置５及び認証装置１１は、無線に限らず、有線により接続されてもよい。
・認証装置１１は、携帯端末８から受信した要求に応じたコマンドをシステム装置５に出力（無線、有線問わない）することにより、携帯端末８から取得した要求に応じた作動を車両１に実施させることも可能である。
【００８７】
・操作対象物３３は、車両１に限定されず、例えば宿泊施設のドア、コインパーキングのゲート機、宅配ボックスのロッカーなど、他の部材に変更可能である。
・操作対象物３３が設置される設備は、例えば民泊用の宿泊施設など、種々のものに変更可能である。
【符号の説明】
【００８８】
１…車両、８…携帯端末、８ａ…第１携帯端末、８ｂ…第２携帯端末、９…共用システム、１１…認証装置、３３…操作対象物、３５…端末確認部、３６…接続切替部、Ｄｋ…鍵情報、Ｄｋ１…第１鍵情報、Ｄｋ２…第２鍵情報。
【図１】
2019199724.tif 000003
【図２】
2019199724.tif 000004
【図３】
2019199724.tif 000005
【図４】
2019199724.tif 000006
【図５】
2019199724.tif 000007
【図６】
2019199724.tif 000008